(57)【要約】【課題】本発明はフレキシブルケーブルの端子部をコネクタのケーブル挿入口に挿入する際の傾き防止すると共に、端子部とコネクタピンとの接続状態を確認できることを課題とする。【解決手段】フレキシブルケーブル接続構造１０は、フレキシブルケーブル２０の端子部３０をフレキシブルケーブル用コネクタ４０のケーブル挿入口６０に挿入すると、ケーブル挿入口６０の複数のコネクタピン５０が端子部３０に接続される。フレキシブルケーブル２０のケーブル側ガイド部９０はケーブル挿入口６０の挿入完了位置に達すると、ケーブル挿入口６０内に設けられた係合部がケーブル側ガイド部９０の係合孔９４，９５に係合すると共に、端子部３０がコネクタピン５０の接触圧により挟持される。【選択図】図１
2010267411.tif 000002
【特許請求の範囲】
【請求項１】
フレキシブルケーブルの端部に形成された複数の導電パターンよりなる端子部をコネクタの内部に並設された複数のコネクタピンに接続するフレキシブルケーブル接続構造において、
前記フレキシブルケーブルの端子部の裏面側に固着されたケーブル側ガイド部と、
前記コネクタのケーブル挿入口に設けられ、前記ケーブル側ガイド部の挿脱方向をガイドするコネクタ側ガイド部と、
を備え、
前記ケーブル側ガイド部を前記コネクタのケーブル挿入口に挿入するのに伴って前記ケーブル側ガイド部が前記コネクタ側ガイド部を摺動することにより挿脱方向をガイドされることを特徴とするフレキシブルケーブル接続構造。
【請求項２】
前記ケーブル側ガイド部は、前記挿脱方向に延在する突部または溝からなる被規制部を有し、
前記コネクタ側ガイド部は、前記ケーブル側ガイド部の前記被規制部に嵌合して前記ケーブル側ガイド部の挿脱方向を規制する規制部を有することを特徴とする請求項１に記載のフレキシブルケーブル接続構造。
【請求項３】
前記ケーブル側ガイド部は、前記挿脱方向に延在する被係合部を有し、
前記コネクタ側ガイド部は、前記端子部が前記コネクタピンに接触し、前記コネクタピンの接触圧により保持される位置に達したとき、前記ケーブル側ガイド部の前記被係合部に係合する係合部を有することを特徴とする請求項１または２に記載のフレキシブルケーブル接続構造。
【請求項４】
前記コネクタ側ガイド部は、前記ケーブル挿入口の上側に横架された端部が前記ケーブル挿入口の入口より所定距離内側に引っ込んだ位置に形成されたことを特徴とする請求項１乃至３の何れかに記載のフレキシブルケーブル接続構造。
【請求項５】
前記被規制部は、前記挿脱方向と平行に複数設けられ、
前記規制部は、前記複数の被規制部のそれぞれに嵌合するように複数設けられたことを特徴とする請求項２に記載のフレキシブルケーブル接続構造。
【請求項６】
前記被係合部は、前記挿脱方向と直交する横幅方向に複数個が並設され、
前記係合部は、前記複数の被係合部のそれぞれに係合するように前記挿脱方向と直交する横幅方向に複数個が並設されたことを特徴とする請求項３に記載のフレキシブルケーブル接続構造。
【請求項７】
前記コネクタ側ガイド部は、前記コネクタピンと対向する前記ケーブル挿入口の内壁に前記規制部及び前記係合部を有することを特徴とする請求項３に記載のフレキシブルケーブル接続構造。
【請求項８】
フレキシブルケーブルの端部に形成された複数の導電パターンよりなる端子部が挿入されるケーブル挿入口と、該ケーブル挿入口の内壁に並設され前記端子部が接続される複数のコネクタピンとを有するフレキシブルケーブル用コネクタにおいて、
前記フレキシブルケーブルの端子部の裏面側に固着されたケーブル側ガイド部の挿脱方向をガイドするコネクタ側ガイド部を有し、
前記コネクタ側ガイド部は、前記ケーブル側ガイド部が前記ケーブル挿入口に挿入されるのに伴って前記ケーブル側ガイド部との摺動により挿脱位置をガイドすることを特徴とするフレキシブルケーブル用コネクタ。
【請求項９】
前記コネクタ側ガイド部は、前記ケーブル側ガイド部の突部または溝に嵌合して前記ケーブル側ガイド部の挿脱方向を規制する規制部を有することを特徴とする請求項８に記載のフレキシブルケーブル用コネクタ。
【請求項１０】
前記コネクタ側ガイド部は、前記端子部が前記コネクタピンに接触し、前記コネクタピンの接触圧により保持される位置に達したとき、前記ケーブル側ガイド部の被係合部に係合する係合部を有することを特徴とする請求項８または９に記載のフレキシブルケーブル用コネクタ。
【請求項１１】
前記コネクタ側ガイド部は、前記ケーブル挿入口の上側に横架された端部が前記ケーブル挿入口の入口より所定距離内側に引っ込んだ位置に形成されたことを特徴とする請求項８乃至１０の何れかに記載のフレキシブルケーブル用コネクタ。
【発明の詳細な説明】
【技術分野】
【０００１】
本発明は、特にフレキシブルケーブルの各端子とコネクタとが接続されるフレキシブルケーブル接続構造及びフレキシブルケーブル用コネクタに関する。
【背景技術】
【０００２】
フレキシブルケーブルとしては、例えば、ＦＦＣ（Ｆｌｅｘｉｂｌｅ  Ｆｌａｔ  Ｃａｂｌｅ）やＦＰＣ（Ｆｌｅｘｉｂｌｅ  Ｐｒｉｎｔｅｄ  Ｃｉｒｃｕｉｔｓ）と呼ばれる導電層の上面、下面に絶縁層を積層してなる薄くて可撓性を有する帯状のケーブルがある。この種のフレキシブルケーブルは、両端部に導電層を露出させた複数の端子が並列に配されており、紙のように薄く、且つ幅広に形成された絶縁層間に複数の導電パターンが所定の狭ピッチで並設されている。また、フレキシブルケーブルは、コネクタのケーブル挿入口もケーブル形状に対応して薄く、且つ横幅寸法が幅広に形成されている。また、複数の端子の裏面側には、コネクタ挿入時の強度を高めるため、補強板が積層されている。
【０００３】
この種のフレキシブルケーブルが接続される接続構造としては、ケーブル挿入口の内部に各ケーブル端子に接触するための複数のコネクタピンがケーブル側の各導電パターンと同じピッチで並設されている。従って、フレキシブルケーブルの端子部をコネクタのケーブル挿入口に差し込むことにより、フレキシブルケーブルの各導電パターンの端子は、複数のコネクタピンの接触圧によって挟持されると共に、各コネクタピンと電気的に導通される（例えば、特許文献１参照）。
【先行技術文献】
【特許文献】
【０００４】
【特許文献１】特開平６−４５０３６号公報
【発明の概要】
【発明が解決しようとする課題】
【０００５】
上記従来のフレキシブルケーブル接続構造では、フレキシブルケーブルの端子部をコネクタのケーブル挿入口に差し込む際に、フレキシブルケーブル自体は可撓性を有するため、コネクタへの挿入圧力が作用した場合に湾曲しやすくなっており、補強板を把持してフレキシブルケーブルの端子部をコネクタのケーブル挿入口に挿入することになる。しかしながら、フレキシブルケーブルの端子部の厚さが薄くて把持しにくい形状であるため、フレキシブルケーブルの端子部をコネクタのケーブル挿入口に真っ直ぐに挿入することが難しいという問題があった。
【０００６】
また、フレキシブルケーブルの端子部をコネクタのケーブル挿入口に挿入してもフレキシブルケーブルの端子部が左右方向に傾いた状態で挿入された場合は、端子部の各導電パターンの延在方向が各コネクタピンの延在方向と傾いた状態で対向することになり、各導電パターンと各コネクタピンとが確実に接触できなくなる。ところが、従来のフレキシブルケーブル接続構造においては、組み付け作業を行なう作業者はコネクタ内部の状態を外部から確認できないので、各導電パターンと各コネクタピンとがどのように接触しているかは不明のまま組み付け作業を行なっていた。
【０００７】
そこで、本発明は上記事情に鑑み、上記課題を解決したフレキシブルケーブル接続構造及びフレキシブルケーブル用コネクタを提供することを目的とする。
【課題を解決するための手段】
【０００８】
上記課題を解決するため、本発明は以下のような手段を有する。
（１）本発明は、フレキシブルケーブルの端部に形成された複数の導電パターンよりなる端子部をコネクタの内部に並設された複数のコネクタピンに接続するフレキシブルケーブル接続構造において、
前記フレキシブルケーブルの端子部の裏面側に固着されたケーブル側ガイド部と、
前記コネクタのケーブル挿入口に設けられ、前記ケーブル側ガイド部の挿脱方向をガイドするコネクタ側ガイド部と、
を備え、
前記ケーブル側ガイド部を前記コネクタのケーブル挿入口に挿入するのに伴って前記ケーブル側ガイド部が前記コネクタ側ガイド部を摺動することにより挿脱方向をガイドされることを特徴とする。
（２）本発明の前記ケーブル側ガイド部は、前記挿脱方向に延在する突部または溝からなる被規制部を有し、
前記コネクタ側ガイド部は、前記ケーブル側ガイド部の前記被規制部に嵌合して前記ケーブル側ガイド部の挿脱方向を規制する規制部を有することを特徴とする。
（３）本発明の前記ケーブル側ガイド部は、前記挿脱方向に延在する被係合部を有し、
前記コネクタ側ガイド部は、前記端子部が前記コネクタピンに接触し、前記コネクタピンの接触圧により保持される位置に達したとき、前記ケーブル側ガイド部の前記被係合部に係合する係合部を有することを特徴とする。
（４）本発明の前記コネクタ側ガイド部は、前記ケーブル挿入口の上側に横架された端部が前記ケーブル挿入口の入口より所定距離内側に引っ込んだ位置に形成されたことを特徴とする。
（５）本発明の前記被規制部は、前記挿脱方向と平行に複数設けられ、
前記規制部は、前記複数の被規制部のそれぞれに嵌合するように複数設けられたことを特徴とする。
（６）本発明の前記被係合部は、前記挿脱方向と直交する横幅方向に複数個が並設され、
前記係合部は、前記複数の被係合部のそれぞれに係合するように前記挿脱方向と直交する横幅方向に複数個が並設されたことを特徴とする。
（７）本発明の前記コネクタ側ガイド部は、前記コネクタピンと対向する前記ケーブル挿入口の内壁に前記規制部及び前記係合部を有することを特徴とする。
（８）本発明は、フレキシブルケーブルの端部に形成された複数の導電パターンよりなる端子部が挿入されるケーブル挿入口と、該ケーブル挿入口の内壁に並設され前記端子部が接続される複数のコネクタピンとを有するフレキシブルケーブル用コネクタにおいて、
前記フレキシブルケーブルの端子部の裏面側に固着されたケーブル側ガイド部の挿脱方向をガイドするコネクタ側ガイド部を有し、
前記コネクタ側ガイド部は、前記ケーブル側ガイド部が前記ケーブル挿入口に挿入されるのに伴って前記ケーブル側ガイド部との摺動により挿脱位置をガイドすることを特徴とする。
【発明の効果】
【０００９】
本発明によれば、ケーブル側ガイド部をコネクタのケーブル挿入口に挿入するのに伴ってケーブル側ガイド部がコネクタ側ガイド部との摺動により挿入位置をガイドされてケーブル挿脱方向に真っ直ぐ挿入されるため、端子部の各導電パターンの位置が各コネクタピンの位置と一致し、各導電パターンと各コネクタピンとが確実に接触するように組み付けることができる。
【００１０】
また、本発明によれば、コネクタ側ガイド部の規制部が、ケーブル側ガイド部の被規制部に嵌合してケーブル側ガイド部の挿脱方向を規制するため、ケーブル側ガイド部の挿脱方向をケーブル挿入口の挿脱方向と一致させることができ、フレキシブルケーブルの挿脱方向がケーブル挿入口に対して傾かないように真っ直ぐに挿入させることが可能になる。
【００１１】
さらに、本発明によれば、コネクタ側ガイド部の係合部が、ケーブル側ガイド部の被係合部に係合する際のクリック感により、フレキシブルケーブルの端子部がコネクタ内の各コネクタピンと接触した状態に保持されたことを確認することができる。
【図面の簡単な説明】
【００１２】
【図１】本発明によるフレキシブルケーブル接続構造の実施例１を示す分解斜視図である。
【図２Ａ】フレキシブルケーブルを上方からみた平面図である。
【図２Ｂ】フレキシブルケーブルを下方からみた底面図である。
【図２Ｃ】図２Ａ中Ｃ−Ｃ線に沿うフレキシブルケーブルの縦断面図である。
【図２Ｄ】図２Ａ中Ｄ−Ｄ線に沿うフレキシブルケーブルの縦断面図である。
【図３Ａ】実施例１のコネクタを示す斜視図である。
【図３Ｂ】実施例１のコネクタ側ガイド部を示す斜視図である。
【図４】実施例１のコネクタのケーブル挿入口にケーブル側ガイド部を挿入する前の状態を示す斜視図である。
【図５Ａ】実施例１のコネクタのケーブル挿入口にケーブル側ガイド部を挿入する前の状態を示す縦断面図である。
【図５Ｂ】実施例１のコネクタのケーブル挿入口にケーブル側ガイド部の先端を挿入した状態を示す縦断面図である。
【図５Ｃ】実施例１のコネクタのケーブル挿入口にケーブル側ガイド部を挿入した係合状態を示す縦断面図である。
【図６】実施例１のコネクタのケーブル挿入口にケーブル側ガイド部を斜め上方から挿入した状態を示す斜視図である。
【図７Ａ】実施例１のコネクタのケーブル挿入口にケーブル側ガイド部を斜め上方から挿入した状態を示す縦断面図である。
【図７Ｂ】実施例１のコネクタのケーブル挿入口にケーブル側ガイド部が挿入される過程で水平にガイドされた挿入状態を示す縦断面図である。
【図７Ｃ】実施例１のコネクタのケーブル挿入口にケーブル側ガイド部が挿入されて係合された状態を示す縦断面図である。
【図８】実施例２のフレキシブルケーブル接続構造を示す分解斜視図である。
【図９】実施例２のコネクタを示す斜視図である。
【図１０Ａ】実施例２のコネクタのケーブル挿入口にケーブル側ガイド部を挿入する前の状態を示す縦断面図である。
【図１０Ｂ】実施例２のコネクタのケーブル挿入口にケーブル側ガイド部の先端を挿入した状態を示す縦断面図である。
【図１０Ｃ】実施例２のコネクタのケーブル挿入口にケーブル側ガイド部を挿入した係合状態を示す縦断面図である。
【図１１Ａ】実施例２のコネクタのケーブル挿入口にケーブル側ガイド部を斜め上方から挿入した状態を示す縦断面図である。
【図１１Ｂ】実施例２のコネクタのケーブル挿入口にケーブル側ガイド部が挿入される過程で水平にガイドされた挿入状態を示す縦断面図である。
【図１１Ｃ】実施例２のコネクタのケーブル挿入口にケーブル側ガイド部が挿入されて係合された状態を示す縦断面図である。
【図１２】変形例の構成を示す分解斜視図である。
【図１３】変形例のコネクタを示す斜視図である。
【図１４】変形例のフレキシブルケーブルを下方から見た底面図である。
【図１５】変形例を斜め下方からみた分解斜視図である。
【発明を実施するための形態】
【００１３】
以下、図面を参照して本発明を実施するための形態について説明する。
【実施例１】
【００１４】
図１は本発明によるフレキシブルケーブル接続構造の実施例１を示す分解斜視図である。図１に示されるように、フレキシブルケーブル接続構造１０は、フレキシブルケーブル２０の端部に形成された端子部３０をフレキシブルケーブル用コネクタ（以下「コネクタ」という）４０のケーブル挿入口６０に挿入すると、ケーブル挿入口６０の上側に並設された複数のコネクタピン５０が端子部３０に接続されるように構成されている。尚、コネクタ４０は、プリント基板上に固定されると共に、コネクタ４０の背面側に延在するコネクタピン５０の端部がプリント基板上に形成された接続パターンに半田付けされる。
【００１５】
実施例１のコネクタ４０は、ケーブル挿入口６０の下側に複数のコネクタピン５０が並設され、且つコネクタ側ガイド部７０がケーブル挿入口６０の上側に配置された下接点タイプである。従って、コネクタ側ガイド部７０は、ケーブル挿入口６０の上側を形成するようにコネクタ４０と一体成型されている。さらに、コネクタ４０の左右側面の締結溝４２，４４には、コネクタ４０をプリント基板に締結するための金属製のＬ字状ブラケット８０が圧入されている。
【００１６】
ここで、フレキシブルケーブル２０の構成について説明する。
【００１７】
図２Ａはフレキシブルケーブル２０を上方からみた平面図である。図２Ｂはフレキシブルケーブル２０を下方からみた底面図である。図２Ｃは図２Ａ中Ｃ−Ｃ線に沿うフレキシブルケーブル２０の縦断面図である。図２Ｄは図２Ａ中Ｄ−Ｄ線に沿うフレキシブルケーブル２０の縦断面図である。図２Ａ〜図２Ｄに示されるように、フレキシブルケーブル２０は、ＦＦＣ（Ｆｌｅｘｉｂｌｅ  Ｆｌａｔ  Ｃａｂｌｅ）と呼ばれる可撓性を有する薄い帯状のケーブルであり、下面側端部に端子部３０が形成され、端子部３０の裏面側となる上面側端部にはケーブル側ガイド部９０が固着されている。また、フレキシブルケーブル２０は、ポリエステル樹脂などからなる絶縁層２２の下面側に複数の導電パターン３２（３２１〜３２ｎ）が並列に形成されている。また、複数の導電パターン３２（３２１〜３２ｎ）は、下面側が端子部３０となる露出部分を除いてポリエステル樹脂などからなる絶縁層２４に被覆されている。このようにフレキシブルケーブル２０は、複数の導電パターン３２（３２１〜３２ｎ）の上面、下面に絶縁層２２，２４を積層してなる三層構造であり、紙のように薄いため、上下方向に撓ませることができる。
【００１８】
さらに、フレキシブルケーブル２０の上面側端部に固着されたケーブル側ガイド部９０は、樹脂材により一体成型されており、上面側の左右両側付近と中央の３箇所に挿脱方向（Ｘａ、Ｘｂ方向）に延在するガイド溝（被規制部）９１〜９３が形成されている。さらに、ケーブル側ガイド部９０の上面側端部近傍には、被係合部としての係合孔９４，９５が設けられている。一対の係合孔９４，９５は、左右方向（Ｙａ、Ｙｂ方向）に離間した位置に形成されており、上下方向（Ｚａ、Ｚｂ方向）に凹んだ長方形状の凹部からなる。
【００１９】
また、ケーブル側ガイド部９０の上面側中央に形成されたガイド溝９２は、挿入側端部に向けて幅広形状に傾斜するテーパ部９２ａを有する。このテーパ部９２ａにより、ケーブル側ガイド部９０の入口側の横幅が広くなっているので、フレキシブルケーブル２０の挿入操作時の左右方向（Ｙａ、Ｙｂ方向）の位置ずれを調整可能になっている。
【００２０】
ここで、コネクタ４０及びコネクタ側ガイド部７０の構成について説明する。
【００２１】
図３Ａは実施例１のコネクタ４０を示す斜視図である。図３Ｂは実施例１のコネクタ側ガイド部９０を示す斜視図である。図３Ａ及び図３Ｂに示されるように、コネクタ４０は、フレキシブルケーブル２０の端子部３０及びケーブル側ガイド部９０が挿入されるケーブル挿入口６０と、ケーブル挿入口６０の下側に配された複数のコネクタピン５０を有する下部ベース１００と、ケーブル挿入口６０の上側に配されたコネクタ側ガイド部７０を有する天板１１０と、ケーブル挿入口６０の左右側方の側壁１２０，１３０とを有する。
【００２２】
ケーブル挿入口６０は、下部ベース１００と、天板１１０と、側壁１２０，１３０とに囲まれた空間であり、厚さ寸法、横幅寸法がフレキシブルケーブル２０の端子部３０及びケーブル側ガイド部９０の厚さ寸法、横幅寸法よりも僅かに大きい寸法に形成されている。
【００２３】
図３Ｂに示されるように、ケーブル挿入口６０の下側に配された下部ベース１００には、複数のコネクタピン５０を収納する複数のピン挿通孔１０２がケーブル挿脱方向（Ｘａ、Ｘｂ方向）に形成されている。複数のピン挿通孔１０２は、フレキシブルケーブル２０の導電パターン３２（３２１〜３２ｎ）と対向するように、左右方向（Ｙａ、Ｙｂ方向）に同一ピッチで配されている。従って、各ピン挿通孔１０２に挿入された各コネクタピン５０は、それぞれがフレキシブルケーブル２０の導電パターン３２（３２１〜３２ｎ）に接触すると共に、ケーブル側ガイド部９０の厚さ分の弾性変位に伴うばね力によって導電パターン３２（３２１〜３２ｎ）を挟持する。
【００２４】
また、ケーブル挿入口６０の天板１１０の下側には、ケーブル側ガイド部９０の挿脱動作をガイドするコネクタ側ガイド部７０が形成されている。コネクタ側ガイド部７０は、ケーブル側ガイド部９０の斜め挿入動作を防止するガイド突部（規制部）７１〜７３と、ケーブル側ガイド部９０を挿入完了位置に係合する一対の係合部７４，７５とから構成されている。ガイド突部７１〜７３は、それぞれケーブル挿脱方向（Ｘａ、Ｘｂ方向）に平行に延在形成されており、ケーブル側ガイド部９０のガイド溝９１〜９３に嵌合するように左右方向（Ｙａ、Ｙｂ方向）にガイド溝９１〜９３と同じ間隔に並設されている。
【００２５】
また、両側のガイド突部７１，７３は、ケーブル挿入口６０の正面から見ると半円形状に形成されており、中央のガイド突部７２は、ケーブル挿入口６０の正面から見ると台形状に形成されている。
【００２６】
係合部７４，７５は、ケーブル挿脱方向（Ｘａ、Ｘｂ方向）に延在する片持ち梁形状に形成されており、片持ちアーム部の先端部が上下方向（Ｚａ、Ｚｂ方向）に変位してケーブル側ガイド部９０の係合孔９４，９５に係合する。また、係合部７４，７５は、左右方向（Ｙａ、Ｙｂ方向）に係合孔９４，９５と同じ間隔で離間した位置に並設されている。
【００２７】
ここで、フレキシブルケーブル２０の端子部３０及びケーブル側ガイド部９０をケーブル挿入口６０に挿入する際の挿入動作について説明する。
【００２８】
図４は実施例１のコネクタ４０のケーブル挿入口６０にケーブル側ガイド部９０を挿入する前の状態を示す斜視図である。図５Ａは実施例１のコネクタ４０のケーブル挿入口６０にケーブル側ガイド部９０を挿入する前の状態を示す縦断面図である。
【００２９】
図４及び図５Ａに示されるように、フレキシブルケーブル２０をコネクタ４０に接続する際は、ケーブル側ガイド部９０を把持してコネクタ４０のケーブル挿入口６０に挿入する。その際、端子部３０の導電パターン３２（３２１〜３２ｎ）がコネクタ４０の下側に配された各コネクタピン５０に接触するようにケーブル側ガイド部９０をケーブル挿入口６０に挿入する。
【００３０】
これにより、ケーブル側ガイド部９０は、係合孔（被係合部）９４，９５が上面側に配されており、係合孔９４，９５が天板１１０に設けられた係合部７４，７５のアーム先端部７４ａ，７５ａに対向する位置にある。また、天板１１０の端部は、下部ベース１００の端部よりも内側（Ｘｂ方向）に引っ込んでいるため、後述するようにケーブル側ガイド部９０が斜め上方からケーブル挿入口６０に挿入されることを可能している。また、ケーブル側ガイド部９０の先端部分の上側角部及び天板１１０の端部の下側角部には、夫々面取り９６、１１１が形成されている。
【００３１】
また、コネクタ４０の下部ベース１００は、ケーブル挿脱方向（Ｘａ、Ｘｂ方向）に貫通する複数のピン挿通孔１０２を有しており、各ピン挿通孔１０２の上側にはケーブル挿入口６０に連通する開口１０４が形成されている。各ピン挿通孔１０２に収納された各コネクタピン５０は、端子５０ａと、挿通部５０ｂと、接触部５０ｃと、掛止部５０ｄとを有する。コネクタピン５０の端子５０ａは、コネクタ４０の背面側に延在してプリント基板上の導電パターンに半田付けされる。また、挿通部５０ｂは、コネクタ４０の背面側（Ｘｂ側）からピン挿通孔１０２に挿通される。
【００３２】
コネクタピン５０の接触部５０ｃは、挿通部５０ｂより上方に傾斜するように形成されており、その傾斜上部がピン挿通孔１０２の開口１０４よりケーブル挿入口６０内に突出している。また、コネクタピン５０の掛止部５０ｄは、接触部５０ｃの先端でＳ字状に曲げられており、ピン挿通孔１０２の横架部１０６に掛止されて上方への移動を制限されている。
【００３３】
図５Ｂは実施例１のコネクタ４０のケーブル挿入口６０にケーブル側ガイド部９０の先端を挿入した状態を示す縦断面図である。図５Ｂに示されるように、ケーブル側ガイド部９０がコネクタ４０のケーブル挿入口６０に挿入される過程において、ケーブル側ガイド部９０のガイド溝９１〜９３にコネクタ４０のケーブル挿入口６０内に突出するガイド突部７１〜７３が相対的に嵌合する。これにより、ケーブル側ガイド部９０は、左右方向（Ｙａ、Ｙｂ方向）の挿入位置をガイド突部７１〜７３に規制されてケーブル挿脱方向（Ｘａ、Ｘｂ方向）へガイドされる。
【００３４】
このガイド動作により、端子部３０の複数の導電パターン３２は、夫々が複数のコネクタピン５０の接触部５０ｃに接触する位置に位置決めされる。従って、ガイド突部７１〜７３とガイド溝９１〜９３との嵌合により各導電パターン３２に挿入位置と各コネクタピン５０との位置とが一致する。
【００３５】
ケーブル側ガイド部９０がコネクタ４０のケーブル挿入口６０に挿入されると、下面側の端子部３０の導電パターン３２がコネクタピン５０の接触部５０ｃに接触すると共に、ケーブル側ガイド部９０の上面側がコネクタ４０の天板１１０の下面に押し付けられて上下方向（Ｚａ、Ｚｂ方向）で挟持される。
【００３６】
図５Ｃは実施例１のコネクタ４０のケーブル挿入口６０にケーブル側ガイド部９０を挿入した係合状態を示す縦断面図である。図５Ｃに示されるように、さらに、ケーブル側ガイド部９０を挿入方向（Ｘｂ方向）に摺動させることにより、ケーブル側ガイド部９０の先端上面が係合部７４，７５のアーム先端部７４ａ，７５ａに摺接しながら、下方に変位してコネクタピン５０の接触部５０ｃを押し下げる。これにより、コネクタピン５０による導電パターン３２への接触圧が増大してコネクタピン５０と導電パターン３２との電気的接続が確実に行なわれる。
【００３７】
さらに、ケーブル側ガイド部９０が挿入方向（Ｘｂ方向）に移動すると、係合部７４，７５のアーム先端部７４ａ，７５ａがケーブル側ガイド部９０の先端上面に摺接して上方に変位すると共に、コネクタピン５０の接触部５０ｃを下方に弾性変形させる。そして、ケーブル側ガイド部９０がケーブル挿入口６０の挿入完了位置に達すると、係合部７４，７５のアーム先端部７４ａ，７５ａがケーブル側ガイド部９０の係合孔９４，９５を係合すると共に、端子部３０がコネクタピン５０の接触圧により挟持される。この係合部７４，７５のアーム先端部７４ａ，７５ａがケーブル側ガイド部９０の係合孔９４，９５に嵌合した際のクリック動作は、ケーブル側ガイド部９０を把持している操作者にクリック感として伝達されると共に、カッチといったクリック音として操作者の聴覚にも伝達される。
【００３８】
従って、操作者は、上記クリック動作によりケーブル側ガイド部９０がコネクタ４０のケーブル挿入口６０に挿入され、且つ端子部３０の導電パターン３２がコネクタピン５０の接触部５０ｃに接触した状態に保持されたことを感覚的に確認することが可能になる。
【００３９】
また、ケーブル側ガイド部９０の挿入完了後は、ケーブル挿入口６０において、係合部７４，７５のアーム先端部７４ａ，７５ａがケーブル側ガイド部９０の係合孔９４，９５に嵌合し、且つ端子部３０がコネクタピン５０の接触圧により挟持されているので、フレキシブルケーブル２０が離脱方向（Ｘａ方向）に引張られても簡単に外れることが防止される。尚、フレキシブルケーブル２０をコネクタ４０から分離させる際は、ケーブル側ガイド部９０を分離方向（Ｘａ方向）に引張ることにより係合部７４，７５のアーム先端部７４ａ，７５がケーブル側ガイド部９０の係合孔９４，９５から離脱して外すことが可能になる。
【００４０】
ここで、ケーブル側ガイド部９０が斜め上方からケーブル挿入口６０に挿入された場合の挿入動作について説明する。
【００４１】
図６は実施例１のコネクタ４０のケーブル挿入口６０にケーブル側ガイド部９０を斜め上方から挿入した状態を示す斜視図である。図７Ａは実施例１のコネクタ４０のケーブル挿入口６０にケーブル側ガイド部９０を斜め上方から挿入した状態を示す縦断面図である。
【００４２】
図６及び図７Ａに示されるように、コネクタ４０は、ケーブル挿入口６０の入口側において、天板１１０の端部が下部ベース１００の端部よりも寸法Ｌの距離分内側（Ｘｂ方向）に引っ込んでいる。そのため、コネクタ４０は、ケーブル側ガイド部９０を斜め上方（水平方向に対して傾斜角度α）からケーブル挿入口６０に挿入することが可能な構成になっている。
【００４３】
すなわち、ケーブル側ガイド部９０がケーブル挿入口６０の斜め上方（水平方向に対して傾斜角度α）から挿入された場合、ケーブル側ガイド部９０の上面側が天板１１０の端部に摺接しながら、ケーブル側ガイド部９０の先端部分が下部ベース１００の上面を摺動する。
【００４４】
図７Ｂは実施例１のコネクタ４０のケーブル挿入口６０にケーブル側ガイド部９０が挿入される過程で水平にガイドされた挿入状態を示す縦断面図である。図７Ｂに示されるように、ケーブル側ガイド部９０の先端部分の上側角部及び天板１１０の端部の下側角部には、夫々面取り９６，１１１が形成されているので、ケーブル側ガイド部９０は下部ベース１００の上面を摺動しながらケーブル挿入口６０内に進入すると共に、Ｂ方向に回動するようにガイドされてその傾斜角度が次第に水平方向に変化し、やがて水平状態（α＝ゼロ）に至る。
【００４５】
また、ケーブル側ガイド部９０がコネクタ４０のケーブル挿入口６０に挿入される過程において、水平状態となったケーブル側ガイド部９０のガイド溝９１〜９３にコネクタ４０のケーブル挿入口６０内に突出するガイド突部７１〜７３が相対的に嵌合する。これにより、ケーブル側ガイド部９０は、左右方向（Ｙａ、Ｙｂ方向）の挿入位置をガイド突部７１〜７３に規制されてケーブル挿脱方向（Ｘａ、Ｘｂ方向）へガイドされる。
【００４６】
このガイド動作により、端子部３０の複数の導電パターン３２は、夫々が複数のコネクタピン５０の接触部５０ｃに接触する位置に位置決めされる。従って、ガイド突部７１〜７３とガイド溝９１〜９３との嵌合により各導電パターン３２に挿入位置と各コネクタピン５０との位置とが一致する。
【００４７】
図７Ｃは実施例１のコネクタ４０のケーブル挿入口６０にケーブル側ガイド部９０が挿入されて係合された状態を示す縦断面図である。図７Ｃに示されるように、さらに、ケーブル側ガイド部９０が挿入方向（Ｘｂ方向）に摺動されることにより、ケーブル側ガイド部９０の先端部分が係合部７４，７５のアーム先端部７４ａ，７５ａに摺接しながら、下方に変位してコネクタピン５０の接触部５０ｃを押し下げる。これにより、コネクタピン５０による導電パターン３２への接触圧が増大してコネクタピン５０と導電パターン３２との電気的接続が確実に行なわれる。
【００４８】
さらに、ケーブル側ガイド部９０が挿入方向（Ｘｂ方向）に移動すると、係合部７４，７５のアーム先端部７４ａ，７５ａがケーブル側ガイド部９０の先端上面側に摺接して上方に変位すると共に、コネクタピン５０の接触部５０ｃを下方に弾性変形させる。そして、ケーブル側ガイド部９０がケーブル挿入口６０の挿入完了位置に達すると、係合部７４，７５のアーム先端部７４ａ，７５ａがケーブル側ガイド部９０の係合孔９４，９５に係合すると共に、端子部３０の各導電パターン３２が各コネクタピン５０の接触圧により挟持される。この係合部７４，７５のアーム先端部７４ａ，７５ａがケーブル側ガイド部９０の係合孔９４，９５に嵌合した際のクリック動作は、ケーブル側ガイド部９０を把持している操作者にクリック感として伝達されると共に、カッチといったクリック音として操作者の聴覚にも伝達される。
【００４９】
このように、フレキシブルケーブル接続構造１０によれば、ケーブル側ガイド部９０を斜め上方（水平方向に対して傾斜角度α）からケーブル挿入口６０に挿入させた場合でも、ケーブル側ガイド部９０が水平状態になるようにガイドすることができるので、ケーブル側ガイド部９０を水平に挿入した場合と同様に、ケーブル側ガイド部９０をケーブル挿入口６０に真っ直ぐ挿入することが可能である。
【実施例２】
【００５０】
図８は実施例２のフレキシブルケーブル接続構造を示す分解斜視図である。尚、図８において、実施例１と同一部分には同一符合を付してその説明を省略する。
【００５１】
図８に示されるように、実施例２のフレキシブルケーブル接続構造２００は、フレキシブルケーブル２０の端部に形成された端子部３０をコネクタ２４０のケーブル挿入口６０に挿入すると、ケーブル挿入口６０の上側に並設された複数のコネクタピン２５０に端子部３０が接続されるように構成されている。尚、フレキシブルケーブル２０は、前述した実施例１のものと同じ構成であり、同一符合を付してその説明を省略する。
【００５２】
実施例２のコネクタ２４０は、ケーブル挿入口６０の上側に複数のコネクタピン２５０が並設され、且つコネクタ側ガイド部２７０がケーブル挿入口６０の下側に配置された上接点タイプである。従って、フレキシブルケーブル２０は、実施例１の場合と上下面を逆向きにした反転状態、すなわち、端子部３０の導電パターン３２（３２１〜３２ｎ）が上面側にし、ケーブル側ガイド部９０を下面側にした向きでケーブル挿入口６０に挿入される。
【００５３】
図９は実施例２のコネクタ２４０を示す斜視図である。図９に示されるように、コネクタ２４０は、フレキシブルケーブル２０の端子部３０及びケーブル側ガイド部９０が挿入されるケーブル挿入口６０と、ケーブル挿入口６０の上側に配された複数のコネクタピン２５０を有する下部ベース１００と、ケーブル挿入口６０の上側に配されたコネクタ側ガイド部７０を有する天板１１０と、ケーブル挿入口６０の左右側方の側壁１２０，１３０とを有する。
【００５４】
ケーブル挿入口６０の上側に配された天板１００には、複数のコネクタピン２５０を保持する複数のピン挿通孔１１２がケーブル挿脱方向（Ｘａ、Ｘｂ方向）に形成されている。複数のピン挿通孔１１２は、フレキシブルケーブル２０の導電パターン３２（３２１〜３２ｎ）と対応するように、左右方向（Ｙａ、Ｙｂ方向）に同一ピッチで配されている。従って、各ピン挿通孔１１２に挿入された各コネクタピン２５０は、それぞれがフレキシブルケーブル２０の各導電パターン３２（３２１〜３２ｎ）に接触するように設けられている。
【００５５】
また、下部ベース１００の上面には、ガイド突部７１〜７３と、一対の係合部７４，７５とからなるコネクタ側ガイド部７０が設けられている。
【００５６】
ここで、上記実施例２におけるフレキシブルケーブル２０の端子部３０及びケーブル側ガイド部９０をケーブル挿入口６０に挿入する際の挿入動作について説明する。
【００５７】
図１０Ａは実施例２のコネクタ２４０のケーブル挿入口６０にケーブル側ガイド部９０を挿入する前の状態を示す縦断面図である。図１０Ａに示されるように、フレキシブルケーブル２０をコネクタ２４０に接続する際は、ケーブル側ガイド部９０を把持してコネクタ４０のケーブル挿入口６０に挿入する。その際、端子部３０の導電パターン３２（３２１〜３２ｎ）がコネクタ２４０の上側に配された各コネクタピン２５０に接触するように導電パターン３２（３２１〜３２ｎ）を上側にしてケーブル側ガイド部９０をケーブル挿入口６０に挿入する。
【００５８】
これにより、ケーブル側ガイド部９０は、係合孔（被係合部）９４，９５を下面側に配しており、係合孔９４，９５が下部ベース１００の上面に設けられた係合部７４，７５のアーム先端部７４ａ，７５ａに対向する位置にある。また、ケーブル側ガイド部９０の先端部分の下側角部及び下部ベース１００の端部の上側角部には、夫々面取り９６，１０１が形成されている。
【００５９】
また、コネクタ２４０の天板１１０は、ケーブル挿脱方向（Ｘａ、Ｘｂ方向）に貫通する複数のピン挿通孔１１２を有しており、各ピン挿通孔１１２の下側にはケーブル挿入口６０に連通する開口１１４が形成されている。各ピン挿通孔１１２に保持された各コネクタピン２５０は、端子２５０ａと、挿通部２５０ｂと、接触部２５０ｃと、掛止部２５０ｄとを有する。コネクタピン２５０の端子２５０ａは、コネクタ２４０の背面側から下方に曲げられており、プリント基板上の導電パターンに半田付けされる。また、挿通部２５０ｂは、コネクタ２４０の背面側（Ｘｂ側）からピン挿通孔１１２に挿通される。
【００６０】
コネクタピン２５０の接触部２５０ｃは、挿通部２５０ｂより下方に傾斜するように形成されており、その傾斜下部がピン挿通孔１１２の開口１１４よりケーブル挿入口６０内に突出している。また、コネクタピン２５０の掛止部２５０ｄは、接触部２５０ｃの先端でＳ字状に曲げられており、ピン挿通孔１１２の下側に横架された横架部１１６に掛止されて下方への移動を制限されている。この横架部１１６は、ケーブル挿入口６０の入口上部に横架されており、且つ横架部１１６の入口側端部が下部ベース１００の端部よりも寸法Ｌの距離分内側（Ｘｂ方向）に引っ込んでいる。そのため、後述するように、ケーブル側ガイド部９０が斜め上方からケーブル挿入口６０に挿入されることを可能している。
【００６１】
図１０Ｂは実施例２のコネクタ２４０のケーブル挿入口６０にケーブル側ガイド部９０の先端を挿入した状態を示す縦断面図である。図１０Ｂに示されるように、ケーブル側ガイド部９０がコネクタ２４０のケーブル挿入口６０に挿入される過程において、ケーブル側ガイド部９０のガイド溝９１〜９３にコネクタ２４０のケーブル挿入口６０内に突出するガイド突部７１〜７３が相対的に嵌合する。これにより、ケーブル側ガイド部９０は、左右方向（Ｙａ、Ｙｂ方向）の挿入位置をガイド突部７１〜７３に規制されてケーブル挿脱方向（Ｘａ、Ｘｂ方向）への動作位置にガイドされる。
【００６２】
このガイド動作により、端子部３０の複数の導電パターン３２は、夫々が複数のコネクタピン２５０の接触部２５０ｃに接触する位置に位置決めされる。従って、ガイド突部７１〜７３とガイド溝９１〜９３との嵌合により各導電パターン３２に挿入位置と各コネクタピン２５０との位置とが一致する。
【００６３】
ケーブル側ガイド部９０がコネクタ２４０のケーブル挿入口６０に挿入されると、上面側の端子部３０の導電パターン３２がコネクタピン２５０の接触部２５０ｃに接触すると共に、ケーブル側ガイド部９０の下面側がコネクタ４０の下部ベース１００の上面に押し付けられて上下方向（Ｚａ、Ｚｂ方向）で挟持される。
【００６４】
図１０Ｃは実施例２のコネクタ２４０のケーブル挿入口６０にケーブル側ガイド部９０を挿入した係合状態を示す縦断面図である。図１０Ｃに示されるように、さらに、ケーブル側ガイド部９０が挿入方向（Ｘｂ方向）に摺動されることにより、ケーブル側ガイド部９０の先端下面が係合部７４，７５のアーム先端部７４ａ，７５ａに摺接しながら、上方に変位してコネクタピン２５０の接触部２５０ｃを押し上げる。これにより、コネクタピン２５０による導電パターン３２への接触圧が増大してコネクタピン２５０と導電パターン３２との電気的接続が確実に行なわれる。
【００６５】
さらに、ケーブル側ガイド部９０が挿入方向（Ｘｂ方向）に移動すると、係合部７４，７５のアーム先端部７４ａ，７５ａがケーブル側ガイド部９０の先端下面に摺接して下方に変位すると共に、コネクタピン２５０の接触部２５０ｃを上方に弾性変形させる。そして、ケーブル側ガイド部９０がケーブル挿入口６０の挿入完了位置に達すると、係合部７４，７５のアーム先端部７４ａ，７５ａがケーブル側ガイド部９０の係合孔９４，９５に係合すると共に、端子部３０がコネクタピン２５０の接触圧により挟持される。この係合部７４，７５のアーム先端部７４ａ，７５ａがケーブル側ガイド部９０の係合孔９４，９５に嵌合した際のクリック動作は、ケーブル側ガイド部９０を把持している操作者にクリック感として伝達されると共に、カッチといったクリック音として操作者の聴覚にも伝達される。
【００６６】
従って、操作者は、上記クリック動作によりケーブル側ガイド部９０がコネクタ２４０のケーブル挿入口６０に挿入され、且つ端子部３０の導電パターン３２がコネクタピン２５０の接触部２５０ｃに接触した状態に保持されたことを感覚的に確認することが可能になる。尚、フレキシブルケーブル２０をコネクタ２４０から分離させる際は、ケーブル側ガイド部９０を分離方向（Ｘａ方向）に引張ることにより係合部７４，７５のアーム先端部７４ａ，７５がケーブル側ガイド部９０の係合孔９４，９５から離脱して外すことが可能になる。
【００６７】
ここで、実施例２のコネクタ２４０のケーブル挿入口６０にケーブル側ガイド部９０が斜め上方から挿入された場合の挿入動作について説明する。
【００６８】
図１１Ａは実施例２のコネクタ２４０のケーブル挿入口６０にケーブル側ガイド部９０が斜め上方から挿入された状態を示す縦断面図である。図１１Ａに示されるように、コネクタ２４０は、ケーブル挿入口６０において、入口上側の横架部１１６の入口側端部が下部ベース１００の端部よりも寸法Ｌの距離分内側（Ｘｂ方向）に引っ込んでいる。そのため、コネクタ４０は、ケーブル側ガイド部９０を斜め上方（水平方向に対して傾斜角度α）からケーブル挿入口６０に挿入することが可能な構成になっている。
【００６９】
すなわち、ケーブル側ガイド部９０がケーブル挿入口６０の斜め上方（水平方向に対して傾斜角度α）から挿入された場合、ケーブル側ガイド部９０の上面側に配された接続部３０が天板１１０の端部に摺接しながら、ケーブル側ガイド部９０の先端部分が下部ベース１００の上面を摺動する。
【００７０】
図１１Ｂはケーブル側ガイド部９０がコネクタ２４０のケーブル挿入口６０に挿入される過程で水平にガイドされた挿入状態を示す縦断面図である。図１１Ｂに示されるように、ケーブル側ガイド部９０の先端部分の上側角部及び天板１１０の端部の下側角部には、夫々面取り９６，１１１が形成されているので、ケーブル側ガイド部９０は下部ベース１００の上面を摺動しながらケーブル挿入口６０内に進入すると共に、Ｂ方向に回動するようにガイドされてその傾斜角度が次第に水平方向に変化して水平状態（α＝ゼロ）に至る。
【００７１】
また、ケーブル側ガイド部９０がコネクタ４０のケーブル挿入口６０に挿入される過程において、水平状態となったケーブル側ガイド部９０のガイド溝９１〜９３にコネクタ４０のケーブル挿入口６０内に突出するガイド突部７１〜７３が相対的に嵌合する。これにより、ケーブル側ガイド部９０は、左右方向（Ｙａ、Ｙｂ方向）の挿入位置をガイド突部７１〜７３に規制されてケーブル挿脱方向（Ｘａ、Ｘｂ方向）へガイドされる。
【００７２】
このガイド動作により、端子部３０の複数の導電パターン３２は、夫々が複数のコネクタピン２５０の接触部２５０ｃに接触する位置に位置決めされる。従って、ガイド突部７１〜７３とガイド溝９１〜９３との嵌合により各導電パターン３２に挿入位置と各コネクタピン２５０との位置とが一致する。
【００７３】
図１１Ｃは実施例２のコネクタ２４０のケーブル挿入口６０にケーブル側ガイド部９０が挿入されて係合された状態を示す縦断面図である。図１１Ｃに示されるように、さらに、ケーブル側ガイド部９０が挿入方向（Ｘｂ方向）に摺動されることにより、ケーブル側ガイド部９０の先端部分が係合部７４，７５のアーム先端部７４ａ，７５ａに摺接しながら、上方に変位してコネクタピン２５０の接触部２５０ｃを押し上げる。これにより、コネクタピン５０による導電パターン３２への接触圧が増大してコネクタピン２５０と導電パターン３２との電気的接続が確実に行なわれる。
【００７４】
さらに、ケーブル側ガイド部９０が挿入方向（Ｘｂ方向）に移動すると、係合部７４，７５のアーム先端部７４ａ，７５ａがケーブル側ガイド部９０の先端下面に摺接して下方に変位すると共に、コネクタピン２５０の接触部２５０ｃを上方に弾性変形させる。そして、ケーブル側ガイド部９０がケーブル挿入口６０の挿入完了位置に達すると、係合部７４，７５のアーム先端部７４ａ，７５ａがケーブル側ガイド部９０の係合孔９４，９５に係合すると共に、端子部３０がコネクタピン５０の接触圧により挟持される。この係合部７４，７５のアーム先端部７４ａ，７５ａがケーブル側ガイド部９０の係合孔９４，９５に嵌合した際のクリック動作は、ケーブル側ガイド部９０を把持している操作者にクリック感として伝達されると共に、カッチといったクリック音として操作者の聴覚にも伝達される。
【００７５】
このように、実施例２のフレキシブルケーブル接続構造２００においても、ケーブル側ガイド部９０を斜め上方（水平方向に対して傾斜角度α）からケーブル挿入口６０に挿入させた場合でも、ケーブル側ガイド部９０が水平状態になるようにガイドすることができるので、ケーブル側ガイド部９０を水平に挿入した場合と同様に、ケーブル側ガイド部９０を真っ直ぐケーブル挿入口６０に挿入することが可能である。
【００７６】
ここで、変形例について説明する。
【００７７】
図１２は変形例の構成を示す分解斜視図である。図１３は変形例のコネクタを示す斜視図である。図１４は変形例のフレキシブルケーブルを下方から見た底面図である。図１５は変形例を斜め下方からみた分解斜視図である。尚、図１２乃至図１５において、上記実施例１，２と同一部分には、同一符合を付してその説明を省略する。
【００７８】
図１２乃至図１５に示されるように、変形例のフレキシブルケーブル接続構造３００では、コネクタ３４０の下部ベース１００の上面に複数のガイド突部７１１〜７１ｎのそれぞれがケーブル挿脱方向（Ｘａ、Ｘｂ方向）に延在形成され、且つ所定の間隔で横方向（Ｙａ，Ｙｂ方向）に並設されている。
【００７９】
また、ケーブル側ガイド部１９０は、下面側に複数のガイド突部７１１〜７１ｎに嵌合する複数のガイド溝９１１〜９１ｎがケーブル挿脱方向（Ｘａ、Ｘｂ方向）に延在形成され、且つ複数のガイド突部７１１〜７１ｎと同じピッチで横方向（Ｙａ，Ｙｂ方向）に並設されている。
【００８０】
従って、ケーブル側ガイド部１９０をコネクタ３４０のケーブル挿入口６０に挿入する際は、複数のガイド突部７１１〜７１ｎと複数のガイド溝９１１〜９１ｎとが全て同時に嵌合することになり、ケーブル挿脱方向（Ｘａ、Ｘｂ方向）へのガイドが確実に行える。また、ケーブル挿脱方向（Ｘａ、Ｘｂ方向）と直交するＹａ、Ｙｂ方向への横応力が作用した場合でも複数のガイド突部７１１〜７１ｎと複数のガイド溝９１１〜９１ｎとの嵌合により横応力に対する強度が高められ、接続部３０の各導電パターン３２がＹａ、Ｙｂ方向にずれることが防止され、フレキシブルケーブル２０とコネクタ３４０との接続強度が確保されると共に、接続状態での信頼性も高められている。
【産業上の利用可能性】
【００８１】
上記実施例では、フレキシブルケーブル２０としてＦＦＣ（Ｆｌｅｘｉｂｌｅ  Ｆｌａｔ  Ｃａｂｌｅ）を用いた場合を例に挙げて説明したが、これに限らず、これ以外のフレキシブルケーブルを用いたフレキシブルケーブル接続構造にも本発明を適用することができるのは勿論である。
【００８２】
また、上記実施例では、ケーブル側ガイド部１９０に複数のガイド溝を設け、コネクタ４０，２４０に複数のガイド突部を設けた構成を例に挙げたが、これに限らず、ケーブル側ガイド部１９０に複数のガイド突部を設け、コネクタ４０，２４０に複数のガイド溝を設けた構成としても良いのは勿論である。
【００８３】
また、上記実施例では、ケーブル側ガイド部１９０に係合孔を設け、コネクタ４０，２４０に係合部を設けた構成を例に挙げたが、これに限らず、ケーブル側ガイド部１９０に係合部を設け、コネクタ４０，２４０に係合孔を設けた構成としても良いのは勿論である。
【符号の説明】
【００８４】
１０，２００，３００  フレキシブルケーブル接続構造
２０  フレキシブルケーブル
３０  端子部
３２（３２１〜３２ｎ）  導電パターン
４０，２４０，３４０  コネクタ
５０，２５０  コネクタピン
５０ａ  端子
５０ｂ  挿通部
５０ｃ  接触部
５０ｄ  掛止部
６０  ケーブル挿入口
７０  コネクタ側ガイド部
７１〜７３、７１１〜７１ｎ  ガイド突部
７４，７５  係合部
７４ａ，７５ａ  アーム先端部
８０  Ｌ字状ブラケット
９０，１９０  ケーブル側ガイド部
９１〜９３、９１１〜９１ｎ  ガイド溝
９４，９５  係合孔
９６，１０１  面取り
１００  下部ベース
１０２  ピン挿通孔
１０６，１１６  横架部
１１０  天板
１２０，１３０  側壁
２５０ａ  端子
２５０ｂ  挿通部
２５０ｃ  接触部
２５０ｄ  掛止部
【図１】
2010267411.tif 000003
【図２Ａ】
2010267411.tif 000004
【図２Ｂ】
2010267411.tif 000005
【図２Ｃ】
2010267411.tif 000006
【図２Ｄ】
2010267411.tif 000007
【図３Ａ】
2010267411.tif 000008
【図３Ｂ】
2010267411.tif 000009
【図４】
2010267411.tif 000010
【図５Ａ】
2010267411.tif 000011
【図５Ｂ】
2010267411.tif 000012
【図５Ｃ】
2010267411.tif 000013
【図６】
2010267411.tif 000014
【図７Ａ】
2010267411.tif 000015
【図７Ｂ】
2010267411.tif 000016
【図７Ｃ】
2010267411.tif 000017
【図８】
2010267411.tif 000018
【図９】
2010267411.tif 000019
【図１０Ａ】
2010267411.tif 000020
【図１０Ｂ】
2010267411.tif 000021
【図１０Ｃ】
2010267411.tif 000022
【図１１Ａ】
2010267411.tif 000023
【図１１Ｂ】
2010267411.tif 000024
【図１１Ｃ】
2010267411.tif 000025
【図１２】
2010267411.tif 000026
【図１３】
2010267411.tif 000027
【図１４】
2010267411.tif 000028
【図１５】
2010267411.tif 000029